(57)【要約】      （修正有）【課題】ＰＢＸを適切に代替する通信制御装置を提供する。【解決手段】通信端末による通信接続を制御する通信制御装置３００であって、第１無線基地局に通信接続されている通信端末による第１通信ネットワークに対するアタッチ要求信号を受信するアタッチ要求信号受信部３０２と、アタッチ要求信号を受信した場合に通信端末を第１通信ネットワークにアタッチするためのアタッチ要求信号を第１通信管理装置に送信する第１アタッチ要求信号送信部３０４と、アタッチ要求信号を受信した場合に通信端末を第２通信ネットワークにアタッチするためのアタッチ要求信号を第２通信管理装置に送信する第２アタッチ要求信号送信部３０６と、第２通信ネットワークを介して通信端末への着呼信号を受信した場合に、通信端末と第２通信ネットワークとの通信接続を確立させる通信接続制御部３０８とを備える。【選択図】図６
2017130815.tif 000002
【特許請求の範囲】
【請求項１】
第１通信ネットワークと通信端末とを中継する第１無線基地局、及び第２通信ネットワークと前記通信端末とを中継する第２無線基地局と通信し、前記通信端末による通信接続を制御する通信制御装置であって、
前記第１無線基地局に通信接続されている前記通信端末による前記第１通信ネットワークに対するアタッチ要求信号を受信するアタッチ要求信号受信部と、
前記アタッチ要求信号受信部が前記アタッチ要求信号を受信した場合に、前記通信端末を前記第１通信ネットワークにアタッチするためのアタッチ要求信号を、前記第１通信ネットワークを管理する第１通信管理装置に送信する第１アタッチ要求信号送信部と、
前記アタッチ要求信号受信部が前記アタッチ要求信号を受信した場合に、前記通信端末を前記第２通信ネットワークにアタッチするためのアタッチ要求信号を、前記第２通信ネットワークを管理する第２通信管理装置に送信する第２アタッチ要求信号送信部と、
前記第２通信ネットワークを介して前記通信端末への着呼信号を受信した場合に、前記通信端末と前記第１無線基地局との通信接続を解除させて、前記通信端末と前記第２通信ネットワークとの通信接続を確立させる通信接続制御部と
を備える通信制御装置。
【請求項２】
前記通信接続制御部は、前記通信端末と前記第２通信ネットワークとの通信接続を確立させた後、前記着呼信号に対応する通話が開始され、前記通話が終了したことを検知した場合に、前記通信端末と前記第２通信ネットワークとの通信接続を解除させる、請求項１に記載の通信制御装置。
【請求項３】
前記通信接続制御部は、前記通信端末を前記第１通信ネットワークから前記第２通信ネットワークにハンドオーバさせるハンドオーバ指示を前記通信端末に送信することにより、前記通信端末と前記第１無線基地局との通信接続を解除させて、前記通信端末と前記第２通信ネットワークとの通信接続を確立させる、請求項１又は２に記載の通信制御装置。
【請求項４】
コンピュータを、請求項１から３のいずれか一項に記載の通信制御装置として機能させるためのプログラム。
【請求項５】
請求項１から３のいずれか一項に記載の通信制御装置と、
前記第１無線基地局と
を備える通信システム。
【請求項６】
前記第１無線基地局は、
前記第１無線基地局に通信接続されている前記通信端末の発呼先が前記第１通信ネットワークに登録されている通信端末であるか前記第２通信ネットワークに登録されている通信端末であるかを判定する発呼先判定部と、
前記発呼先が前記第２通信ネットワークに登録されている通信端末である場合、前記第２無線基地局に前記通信端末をハンドオーバさせるハンドオーバ制御部と
を有する、請求項５に記載の通信システム。
【請求項７】
前記第１通信ネットワークの加入者情報を管理する加入者管理装置をさらに備え、
前記第１無線基地局は、
前記第１無線基地局に通信接続されている前記通信端末の発呼先の電話番号を前記加入者管理装置に送信する発呼先番号送信部
を有し、
前記加入者管理装置は、
前記発呼先番号送信部が送信した前記発呼先の電話番号に基づいて、前記発呼先が前記第１通信ネットワークに登録されている通信端末であるか前記第２通信ネットワークに登録されている通信端末であるかを判定する発呼先判定部と、
前記発呼先が前記第１通信ネットワークに登録されている通信端末であるか前記第２通信ネットワークに登録されている通信端末であるかを識別する識別データを前記第１無線基地局に送信する識別データ送信部と
を有し、
前記第１無線基地局は、前記発呼先が前記第２通信ネットワークに登録されている通信端末である場合、前記第２無線基地局に前記通信端末をハンドオーバさせるハンドオーバ制御部をさらに有する、請求項５に記載の通信システム。
【請求項８】
前記識別データ送信部は、前記発呼先が前記第１通信ネットワークに登録されている通信端末である場合と、前記第２通信ネットワークに登録されている通信端末である場合とで、異なるＳＰＩＤを前記第１無線基地局に送信する、請求項７に記載の通信システム。
【発明の詳細な説明】
【技術分野】
【０００１】
本発明は、通信制御装置、プログラム、及び通信システムに関する。
【背景技術】
【０００２】
セルサイズがマクロセルより小さいフェムトセル基地局が知られており（例えば、特許文献１参照）、フェムトセル基地局によってＰＢＸ（Ｐｒｉｖａｔｅ  Ａｕｔｏｍａｔｉｃ  ｅＸｃｈａｎｇｅ）を代替するシステムが検討されている。
［先行技術文献］
［特許文献］
［特許文献１］特開２０１４−１７５７２０号公報
【発明の概要】
【発明が解決しようとする課題】
【０００３】
ＰＢＸを適切に代替できる技術を提供できることが望ましい。
【課題を解決するための手段】
【０００４】
本発明の第１の態様によれば、第１通信ネットワークと通信端末とを中継する第１無線基地局、及び第２通信ネットワークと通信端末とを中継する第２無線基地局と通信し、通信端末による通信接続を制御する通信制御装置であって、第１無線基地局に通信接続されている通信端末による第１通信ネットワークに対するアタッチ要求信号を受信するアタッチ要求信号受信部と、アタッチ要求信号受信部がアタッチ要求信号を受信した場合に、通信端末を第１通信ネットワークにアタッチするためのアタッチ要求信号を、第１通信ネットワークを管理する第１通信管理装置に送信する第１アタッチ要求信号送信部と、アタッチ要求信号受信部がアタッチ要求信号を受信した場合に、通信端末を第２通信ネットワークにアタッチするためのアタッチ要求信号を、第２通信ネットワークを管理する第２通信管理装置に送信する第２アタッチ要求信号送信部と、第２通信ネットワークを介して通信端末への着呼信号を受信した場合に、通信端末と第１無線基地局との通信接続を解除させて、通信端末と第２通信ネットワークとの通信接続を確立させる通信接続制御部とを備える通信制御装置が提供される。
【０００５】
上記通信接続制御部は、上記通信端末と上記第２通信ネットワークとの通信接続を確立させた後、上記着呼信号に対応する通話が開始され、上記通話が終了したことを検知した場合に、上記通信端末と上記第２通信ネットワークとの通信接続を解除させてよい。上記通信接続制御部は、上記通信端末を上記第１通信ネットワークから上記第２通信ネットワークにハンドオーバさせるハンドオーバ指示を上記通信端末に送信することにより、上記通信端末と上記第１無線基地局との通信接続を解除させて、上記通信端末と上記第２通信ネットワークとの通信接続を確立させてよい。
【０００６】
本発明の第２の態様によれば、コンピュータを、上記通信制御装置として機能させるためのプログラムが提供される。
【０００７】
本発明の第３の態様によれば、上記通信制御装置及び上記第１無線基地局を備える通信システムが提供される。
【０００８】
上記第１無線基地局は、上記第１無線基地局に通信接続されている上記通信端末の発呼先が上記第１通信ネットワークに登録されている通信端末であるか上記第２通信ネットワークに登録されている通信端末であるかを判定する発呼先判定部と、上記発呼先が上記第２通信ネットワークに登録されている通信端末である場合、上記第２無線基地局に上記通信端末をハンドオーバさせるハンドオーバ制御部とを有してよい。上記通信システムは、上記第１通信ネットワークの加入者情報を管理する加入者管理装置をさらに備えてよく、上記第１無線基地局は、上記第１無線基地局に通信接続されている上記通信端末の発呼先の電話番号を上記加入者管理装置に送信する発呼先番号送信部を有してよく、上記加入者管理装置は、上記発呼先番号送信部が送信した上記発呼先の電話番号に基づいて、上記発呼先が上記第１通信ネットワークに登録されている通信端末であるか上記第２通信ネットワークに登録されている通信端末であるかを判定する発呼先判定部と、上記発呼先が上記第１通信ネットワークに登録されている通信端末であるか上記第２通信ネットワークに登録されている通信端末であるかを識別する識別データを上記第１無線基地局に送信する識別データ送信部とを有してよく、上記第１無線基地局は、上記発呼先が上記第２通信ネットワークに登録されている通信端末である場合、上記第２無線基地局に上記通信端末をハンドオーバさせるハンドオーバ制御部をさらに有してよい。上記識別データ送信部は、上記発呼先が上記第１通信ネットワークに登録されている通信端末である場合と、上記第２通信ネットワークに登録されている通信端末である場合とで、異なるＳＰＩＤを上記第１無線基地局に送信してよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】通信システム１０の一例を概略的に示す。
【図２】通信システム１０による処理の流れの一例を概略的に示す。
【図３】通信システム１０による処理の流れの一例を概略的に示す。
【図４】通信システム１０による処理の流れの一例を概略的に示す。
【図５】通信システム１０による処理の流れの一例を概略的に示す。
【図６】ＨｅＮＢ−ＧＷ３００の機能構成の一例を概略的に示す。
【図７】ＨｅＮＢ１１０の機能構成の一例を概略的に示す。
【図８】ＨＳＳ１６０の機能構成の一例を概略的に示す。
【図９】ＨｅＮＢ−ＧＷ３００として機能するコンピュータ９００のハードウェア構成の一例を示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、通信システム１０の一例を概略的に示す。通信システム１０は、コアネットワーク１００、ＨｅＮＢ（Ｈｏｍｅ  ｅＮｏｄｅＢ）１１０、コアネットワーク２００、ＨｅＮＢ２１０、及びＨｅＮＢ−ＧＷ（Ｈｏｍｅ  ｅＮｏｄｅＢ  Ｇａｔｅｗａｙ）３００を備える。
【００１３】
コアネットワーク１００は、ＭＭＥ（Ｍｏｂｉｌｉｔｙ  Ｍａｎａｇｅｍｅｎｔ  Ｅｎｔｉｔｙ）１５０及びＨＳＳ（Ｈｏｍｅ  Ｓｕｂｓｃｒｉｂｅｒ  Ｓｅｒｖｅｒ）１６０を有する。ＨｅＮＢ１１０は、コアネットワーク１００と通信端末４００とを中継する。通信端末４００は、例えば、スマートフォン等の携帯電話である。コアネットワーク２００は、ＭＭＥ２５０及びＨＳＳ２６０を有する。ＨｅＮＢ２１０は、コアネットワーク２００と通信端末４００とを中継する。ＨｅＮＢ１１０のカバレッジエリア１１１と、ＨｅＮＢ２１０のカバレッジエリア２１１とは、少なくとも一部が重複してよい。
【００１４】
ＨｅＮＢ−ＧＷ３００は、ＨｅＮＢ１１０及びＨｅＮＢ２１０を管理し、ＨｅＮＢ１１０とコアネットワーク１００との通信と、ＨｅＮＢ２１０とコアネットワーク２００との通信を中継する。ＨｅＮＢ−ＧＷ３００は、通信端末４００による通信接続を制御してよい。
【００１５】
コアネットワーク１００は、第１通信ネットワークの一例である。ＭＭＥ１５０は、コアネットワーク１００を管理する第１通信管理装置の一例である。ＨＳＳ１６０は、加入者管理装置の一例である。ＨｅＮＢ１１０は、第１無線基地局の一例である。コアネットワーク２００は、第２通信ネットワークの一例である。ＭＭＥ２５０は、コアネットワーク２００を管理する第２通信管理装置の一例である。ＨＳＳ２６０は、加入者管理装置の一例である。ＨｅＮＢ２１０は、第２無線基地局の一例である。ＨｅＮＢ−ＧＷ３００は、通信制御装置の一例である。
【００１６】
一例として、ＨｅＮＢ１１０は、免許が不要な、通信事業者ではなくとも使用することができる、Ｂ３９のようなＵｎｌｉｃｅｎｓｅｄ  Ｂａｎｄを用いる無線基地局であってよい。また、ＨｅＮＢ２１０は、免許が必要な、通信事業者でなければ使用することができないＬｉｃｅｎｓｅｄ  Ｂａｎｄを用いる無線基地局であってよい。また、ＨｅＮＢ１１０は、ＰＢＸを代替する、いわゆる内線通話を提供する無線基地局であってよく、ＨｅＮＢ２１０は、いわゆる外線通話を提供する無線基地局であってよい。
【００１７】
現在普及している携帯電話の多くは、原則として１つの周波数帯にしか在圏することができないので、例えば、内線通話を提供する無線基地局の通信ネットワークに在圏している場合、内線通話をすることはできるが、外線を掛けること及び受けることができない。それに対して、本実施形態に係る通信システム１０は、携帯電話が内線通話を提供する無線基地局のカバレッジエリアに在圏している場合であっても、外線を掛けること及び受けることを可能にする。
【００１８】
図２は、通信システム１０による処理の流れの一例を概略的に示す。ここでは、ＨｅＮＢ１１０に通信接続されている通信端末４００が、コアネットワーク１００に対するアタッチ要求信号を送信した場合の処理の流れについて説明する。
【００１９】
ステップ（ステップをＳと省略して記載する場合がある。）１０２では、通信端末４００が、コアネットワーク１００に対するアタッチ要求信号を、ＨｅＮＢ１１０に送信する。Ｓ１０４では、ＨｅＮＢ１１０が、アタッチ要求信号をＨｅＮＢ−ＧＷ３００に送信する。
【００２０】
Ｓ１０６では、ＨｅＮＢ−ＧＷ３００が、Ｓ１０４においてアタッチ要求信号を受信したことに応じて、通信端末４００をコアネットワーク１００にアタッチするためのアタッチ要求信号をＭＭＥ１５０に送信する。Ｓ１０８では、ＭＭＥ１５０が、通信端末４００を位置登録することを要求する位置登録要求信号をＨＳＳ１６０に送信する。ＨＳＳ１６０は、受信した位置登録要求信号に基づいて、通信端末４００を位置登録する。Ｓ１１０では、ＨＳＳ１６０が、位置登録応答信号をＭＭＥ１５０に送信する。
【００２１】
Ｓ１１２では、ＭＭＥ１５０が、無線ベアラ設定要求信号をＨｅＮＢ−ＧＷ３００に送信する。Ｓ１１４では、ＨｅＮＢ−ＧＷ３００が、無線ベアラ設定要求信号をＨｅＮＢ１１０に送信する。Ｓ１１６では、ＨｅＮＢ１１０が、無線ベアラ設定要求信号を通信端末４００に送信する。
【００２２】
Ｓ１１８では、通信端末４００が、無線ベアラ設定応答信号をＨｅＮＢ１１０に送信する。Ｓ１２０では、ＨｅＮＢ１１０が、無線ベアラ設定応答信号をＨｅＮＢ−ＧＷ３００に送信する。Ｓ１２２では、ＨｅＮＢ−ＧＷ３００が、無線ベアラ設定応答信号をＭＭＥ１５０に送信する。Ｓ１２４では、通信端末４００が、アタッチ完了信号をＭＭＥ１５０に送信する。
【００２３】
Ｓ１２６では、ＨｅＮＢ−ＧＷ３００が、Ｓ１０４においてアタッチ要求信号を受信したことに応じて、通信端末４００をコアネットワーク２００にアタッチするためのアタッチ要求信号をＭＭＥ２５０に送信する。なお、ＨｅＮＢ−ＧＷ３００が当該アタッチ要求信号をＭＭＥ２５０に送信するタイミングは、図２に示すタイミングに限られず、Ｓ１０６と、Ｓ１２６との間のいずれのタイミングであってもよい。また、Ｓ１０６におけるアタッチ要求の前に、当該アタッチ要求信号をＭＭＥ２５０に送信してもよい。
【００２４】
Ｓ１２８では、ＭＭＥ２５０が、通信端末４００を位置登録することを要求する位置登録要求信号をＨＳＳ２６０に送信する。ＨＳＳ２６０は、受信した位置登録要求信号に基づいて、通信端末４００を位置登録する。Ｓ１３０では、ＨＳＳ２６０が、位置登録応答信号をＭＭＥ２５０に送信する。
【００２５】
Ｓ１３２では、ＭＭＥ２５０が、無線ベアラ設定要求信号をＨｅＮＢ−ＧＷ３００に送信する。ＨｅＮＢ−ＧＷ３００は、受信した無線ベアラ設定要求信号を格納する。
【００２６】
上述したように、ＨｅＮＢ−ＧＷ３００は、ＨｅＮＢ１１０に通信接続されている通信端末によるコアネットワーク１００に対するアタッチ要求信号を受信したことに応じて、通信端末４００をコアネットワーク１００にアタッチするためのアタッチ要求信号をＭＭＥ１５０に送信するとともに、通信端末４００をコアネットワーク２００にアタッチするためのアタッチ要求信号をＭＭＥ２５０に送信する。これにより、通信端末４００を、コアネットワーク１００に加えて、コアネットワーク２００にも位置登録することができる。
【００２７】
図３は、通信システム１０による処理の流れの一例を概略的に示す。ここでは、図２に示す処理が終了した後に、ＨｅＮＢ−ＧＷ３００がコアネットワーク２００を介して通信端末４００への着呼信号を受信した場合の処理の流れについて説明する。
【００２８】
Ｓ２０２では、ＭＭＥ２５０が着呼信号をＨｅＮＢ−ＧＷ３００に送信する。ＨｅＮＢ−ＧＷ３００は、コアネットワーク２００を介して通信端末４００への着呼信号を受信した場合に、通信端末４００がコアネットワーク１００に在圏しているか、コアネットワーク２００に在圏しているかを判定する。
【００２９】
ＨｅＮＢ−ＧＷ３００は、通信端末４００がコアネットワーク２００に在圏していると判定した場合、通信端末４００に着呼させるべく処理を進めてよい。ＨｅＮＢ−ＧＷ３００は、通信端末４００がコアネットワーク１００に在圏していると判定した場合、通信端末４００をコアネットワーク２００にハンドオーバさせる。ここでは、通信端末４００がコアネットワーク１００に在圏しているので、ＨｅＮＢ−ＧＷ３００が通信端末４００をコアネットワーク２００にハンドオーバさせる場合について説明を続ける。
【００３０】
Ｓ２０４では、ＨｅＮＢ−ＧＷ３００が、通信端末４００をコアネットワーク２００にハンドオーバさせるべく、ＨｅＮＢ２１０のセルＩＤを含むハンドオーバ指示をＨｅＮＢ１１０に送信する。Ｓ２０６では、ＨｅＮＢ１１０が、ハンドオーバ指示を通信端末４００に送信する。
【００３１】
Ｓ２０８では、通信端末４００が、Ｓ２０６で受信したハンドオーバ指示に従って、ＨｅＮＢ２１０にアタッチ要求信号を送信する。Ｓ２１０では、ＨｅＮＢ２１０が、アタッチ要求信号をＨｅＮＢ−ＧＷ３００に送信する。Ｓ２１２では、ＨｅＮＢ−ＧＷ３００が、図２のＳ１３２において受信して格納した無線ベアラ設定要求信号を、ＨｅＮＢ２１０に送信する。Ｓ２１４では、ＨｅＮＢ２１０が、無線ベアラ設定要求信号を通信端末４００に送信する。
【００３２】
Ｓ２１６では、通信端末４００が、無線ベアラ設定応答信号をＨｅＮＢ２１０に送信する。Ｓ２１８では、ＨｅＮＢ２１０が、無線ベアラ設定応答信号をＨｅＮＢ−ＧＷ３００に送信する。Ｓ２２０では、ＨｅＮＢ−ＧＷ３００が、無線ベアラ設定応答信号をＭＭＥ２５０に送信する。Ｓ２２２では、通信端末４００が、アタッチ完了信号をＭＭＥ２５０に送信する。
【００３３】
Ｓ２２４では、ＭＭＥ２５０が、通信端末４００に着呼させるべく処理を進める。ここでは、通話が確立したものとして説明を続ける。Ｓ２２６では、ＨｅＮＢ−ＧＷ３００が、Ｓ２２４において確立した通話が終了したことを検知する。Ｓ２２８では、ＨｅＮＢ−ＧＷ３００が、通信端末４００をコアネットワーク１００にハンドオーバさせるハンドオーバ指示をＨｅＮＢ２１０に送信する。Ｓ２３０では、ＨｅＮＢ２１０が、ハンドオーバ指示を通信端末４００に送信する。
【００３４】
Ｓ２３２では、通信端末４００が、Ｓ２３０で受信したハンドオーバ指示に従って、ＨｅＮＢ１１０にアタッチ要求信号を送信する。Ｓ２３４では、ＨｅＮＢ１１０がアタッチ要求信号をＨｅＮＢ−ＧＷ３００に送信する。そして、通信システム１０は、図２のＳ１１４からＳ１２４と同様の処理を実行することにより、通信端末４００をコアネットワーク１００にアタッチさせる。
【００３５】
なお、ここでは、Ｓ２２８において、ＨｅＮＢ−ＧＷ３００がハンドオーバ指示をＨｅＮＢ２１０に送信する例を挙げて説明したが、これに限らない。ＨｅＮＢ−ＧＷ３００は、通信端末４００とＨｅＮＢ２１０との通信接続を切断する切断指示をＨｅＮＢ２１０に送信してもよい。例えば、通信端末４００の設定として、コアネットワーク２００よりもコアネットワーク１００の優先度を高く設定しておくことにより、コアネットワーク２００との通信接続が切断された通信端末４００が、コアネットワーク１００との通信接続を確立するように誘導することができる。
【００３６】
また、通信システム１０は、Ｓ２２２において、通信端末４００のコアネットワーク２００に対するアタッチが完了した場合に、ＨＳＳ１６０における通信端末４００の位置登録を解除させてもよい。その場合、通信システム１０は、Ｓ２３４で、ＨｅＮＢ１１０がアタッチ要求信号をＨｅＮＢ−ＧＷ３００に送信した後、Ｓ１０６からＳ１２４と同様の処理を実行することにより、通信端末４００をコアネットワーク１００にアタッチさせてよい。
【００３７】
上述したように、本実施形態に係る通信システム１０によれば、通信端末４００によるコアネットワーク１００に対するアタッチ要求信号をＨｅＮＢ−ＧＷ３００が受信した場合に、通信端末４００をコアネットワーク２００にも位置登録することによって、通信端末４００がコアネットワーク１００に在圏しているときでも、コアネットワーク２００を介した着呼を実現できる。
【００３８】
また、本実施形態に係る通信システム１０によれば、コアネットワーク２００を介した通話が終了した場合に、通信端末４００をコアネットワーク１００にハンドオーバさせることによって、コアネットワーク１００によって提供される内線の使用が可能な状態に迅速に戻すことができる。
【００３９】
図４は、通信システム１０による処理の流れの一例を概略的に示す。ここでは、図２に示す処理が終了した後に、ＨｅＮＢ１１０が通信端末４００から発呼信号を受信した場合の処理の流れについて説明する。
【００４０】
Ｓ３０２では、通信端末４００が発呼信号をＨｅＮＢ１１０に送信する。ＨｅＮＢ１１０は、通信端末４００の発呼先が、コアネットワーク１００に登録されている通信端末であるか、コアネットワーク２００に登録されている通信端末であるかを判定する。ここでは、発呼先がコアネットワーク２００に登録されている通信端末である場合について説明を続ける。
【００４１】
Ｓ３０４では、ＨｅＮＢ１１０が、通信端末４００をコアネットワーク２００にハンドオーバさせるべく、ＨｅＮＢ２１０のセルＩＤを含むハンドオーバ指示を通信端末４００に送信する。ＨｅＮＢ１１０は、ＨｅＮＢ２１０のセルＩＤを予め格納していてよい。例えば、ＨｅＮＢ１１０は、ＨｅＮＢ２１０のセルＩＤが登録されている隣接セルリストを予め格納していてよい。
【００４２】
Ｓ３０６では、通信端末４００が、Ｓ３０４で受信したハンドオーバ指示に従って、ＨｅＮＢ２１０にアタッチ要求信号を送信する。Ｓ３０８では、ＨｅＮＢ２１０が、アタッチ要求信号をＨｅＮＢ−ＧＷ３００に送信する。Ｓ３１０では、ＨｅＮＢ−ＧＷ３００が、Ｓ１３２において受信して格納していた無線ベアラ設定要求信号を、ＨｅＮＢ２１０に送信する。Ｓ３１２では、ＨｅＮＢ２１０が、無線ベアラ設定要求信号を通信端末４００に送信する。
【００４３】
Ｓ３１４では、通信端末４００が、無線ベアラ設定応答信号をＨｅＮＢ２１０に送信する。Ｓ３１６では、ＨｅＮＢ２１０が、無線ベアラ設定応答信号をＨｅＮＢ−ＧＷ３００に送信する。Ｓ３１８では、ＨｅＮＢ−ＧＷ３００が、無線ベアラ設定応答信号をＭＭＥ２５０に送信する。Ｓ３２０では、通信端末４００が、アタッチ完了信号をＭＭＥ２５０に送信する。
【００４４】
Ｓ３２２では、ＨｅＮＢ１１０が発呼信号をＨｅＮＢ−ＧＷ３００に送信する。Ｓ３２４では、ＨｅＮＢ−ＧＷ３００が、発呼信号をＭＭＥ２５０に送信する。Ｓ３２６において、ＭＭＥ２５０は、受信した発呼信号に従って、発呼先に対する発呼処理を実行する。ここでは、当該発呼信号に対応する通話が確立した場合について説明を続ける。
【００４５】
Ｓ３２８では、ＨｅＮＢ−ＧＷ３００が、Ｓ３２６において確立した通話が終了したことを検知する。Ｓ３３０では、ＨｅＮＢ−ＧＷ３００が、通信端末４００をコアネットワーク１００にハンドオーバさせるハンドオーバ指示をＨｅＮＢ２１０に送信する。Ｓ３３２では、ＨｅＮＢ２１０が、ハンドオーバ指示を通信端末４００に送信する。
【００４６】
Ｓ３３４では、通信端末４００が、Ｓ３３２で受信したハンドオーバ指示に従って、ＨｅＮＢ１１０にアタッチ要求信号を送信する。Ｓ３３６では、ＨｅＮＢ１１０がアタッチ要求信号をＨｅＮＢ−ＧＷ３００に送信する。そして、通信システム１０は、図２のＳ１１４からＳ１２４と同様の処理を実行することにより、通信端末４００をコアネットワーク１００にアタッチさせる。
【００４７】
なお、ここでは、Ｓ３３０において、ＨｅＮＢ−ＧＷ３００がハンドオーバ指示をＨｅＮＢ２１０に送信する例を挙げて説明したが、これに限らない。ＨｅＮＢ−ＧＷ３００は、通信端末４００とＨｅＮＢ２１０との通信接続を切断する切断指示をＨｅＮＢ２１０に送信してもよい。
【００４８】
上述したように、通信端末４００から受信した発呼信号の発呼先がコアネットワーク１００に登録されている通信端末であるか、コアネットワーク２００に登録されている通信端末であるかをＨｅＮＢ１１０が判定して、コアネットワーク２００に登録されている通信端末である場合に、通信端末４００をコアネットワーク２００にハンドオーバさせることによって、通信端末４００によるコアネットワーク２００を介した発呼を実現することができる。
【００４９】
図５は、通信システム１０による処理の流れの一例を概略的に示す。ここでは、図４において説明した処理の流れと異なる部分を主に説明する。
【００５０】
Ｓ４０２では、通信端末４００が発呼信号をＨｅＮＢ１１０に送信する。Ｓ４０４では、ＨｅＮＢ１１０が、Ｓ４０２で受信した発呼信号の発呼先の電話番号である発呼先番号をＨｅＮＢ−ＧＷ３００に送信する。Ｓ４０６では、ＨｅＮＢ−ＧＷ３００が、発呼先番号をＭＭＥ１５０に送信する。Ｓ４０８では、ＭＭＥ１５０が、発呼先番号をＨＳＳ１６０に送信する。
【００５１】
ＨＳＳ１６０は、受信した発呼先の電話番号に基づいて、発呼先がコアネットワーク１００に登録されている通信端末であるか、コアネットワーク２００に登録されている通信端末であるかを判定する。Ｓ４１０では、ＨＳＳ１６０が、発呼先がコアネットワーク１００に登録されている通信端末であるか、コアネットワーク２００に登録されている通信端末であるかを識別する識別データをＭＭＥ１５０に送信する。
【００５２】
Ｓ４１２では、ＭＭＥ１５０が、識別データをＨｅＮＢ−ＧＷ３００に送信する。Ｓ４１４では、ＨｅＮＢ−ＧＷ３００が、識別データをＨｅＮＢ１１０に送信する。ここでは、発呼先がコアネットワーク２００に登録されている通信端末であることを識別データ示す場合について説明を続ける。
【００５３】
Ｓ４１６では、ＨｅＮＢ１１０が、通信端末４００をコアネットワーク２００にハンドオーバさせるべく、ＨｅＮＢ２１０のセルＩＤを含むハンドオーバ指示を通信端末４００に送信する。
【００５４】
上述したように、通信端末４００の発呼先が、コアネットワーク１００に登録されている通信端末であるか、コアネットワーク２００に登録されている通信端末であるかをＨＳＳ１６０が判定し、判定結果をＨｅＮＢ１１０にフィードバックすることによって、通信端末４００がコアネットワーク１００に在圏している場合であっても、コアネットワーク２００を介した発呼を実現することができる。
【００５５】
図６は、ＨｅＮＢ−ＧＷ３００の機能構成の一例を概略的に示す。ＨｅＮＢ−ＧＷ３００は、アタッチ要求信号受信部３０２、アタッチ要求信号送信部３０４、アタッチ要求信号送信部３０６、通信接続制御部３０８、及び無線ベアラ設定要求信号格納部３１０を有する。
【００５６】
アタッチ要求信号受信部３０２は、ＨｅＮＢ１１０に通信接続されている通信端末４００によるコアネットワーク１００に対するアタッチ要求信号を受信する。アタッチ要求信号受信部３０２は、当該アタッチ要求信号を、ＨｅＮＢ１１０を介して受信してよい。
【００５７】
また、アタッチ要求信号受信部３０２は、ＨｅＮＢ２１０に通信接続されている通信端末４００によるコアネットワーク２００に対するアタッチ要求信号を受信する。アタッチ要求信号受信部３０２は、当該アタッチ要求信号を、ＨｅＮＢ２１０を介して受信してよい。
【００５８】
アタッチ要求信号送信部３０４は、アタッチ要求信号受信部３０２が、通信端末４００によるコアネットワーク１００に対するアタッチ要求信号を受信した場合に、通信端末４００をコアネットワーク１００にアタッチするためのアタッチ要求信号を、ＭＭＥ１５０に送信する。
【００５９】
アタッチ要求信号送信部３０６は、アタッチ要求信号受信部３０２が、通信端末４００によるコアネットワーク１００に対するアタッチ要求信号を受信した場合に、通信端末４００をコアネットワーク２００にアタッチするためのアタッチ要求信号をＭＭＥ２５０に送信する。また、アタッチ要求信号送信部３０６は、アタッチ要求信号受信部３０２が、通信端末４００によるコアネットワーク２００に対するアタッチ要求信号を受信した場合に、通信端末４００をコアネットワーク２００にアタッチするためのアタッチ要求信号をＭＭＥ２５０に送信する。なお、機能構成として、アタッチ要求信号送信部３０４とアタッチ要求信号送信部３０６とを示しているが、アタッチ要求信号送信部３０４及びアタッチ要求信号送信部３０６は一の部材によって実現されてもよい。
【００６０】
通信接続制御部３０８は、ＨｅＮＢ１１０とＭＭＥ１５０との間の通信を中継する。例えば、通信接続制御部３０８は、ＨｅＮＢ１１０とＭＭＥ１５０との間で無線ベアラ設定要求信号を中継する。また、例えば、通信接続制御部３０８は、ＨｅＮＢ１１０とＭＭＥ１５０との間で無線ベアラ設定応答信号を中継する。また、例えば、通信接続制御部３０８は、ＨｅＮＢ１１０とＭＭＥ１５０との間で発呼先番号を中継する。また、例えば、通信接続制御部３０８は、ＨｅＮＢ１１０とＭＭＥ１５０との間で識別データを中継する。
【００６１】
通信接続制御部３０８は、ＨｅＮＢ２１０とＭＭＥ２５０との間の通信を中継する。例えば、通信接続制御部３０８は、ＨｅＮＢ２１０とＭＭＥ２５０との間で無線ベアラ設定要求信号を中継する。また、例えば、通信接続制御部３０８は、ＨｅＮＢ２１０とＭＭＥ２５０との間で無線ベアラ設定応答信号を中継する。また、例えば、通信接続制御部３０８は、ＨｅＮＢ１１０とＭＭＥ１５０との間で発呼先番号を中継する。
【００６２】
通信接続制御部３０８は、ＨｅＮＢ１１０に通信接続されている通信端末４００への着呼信号を、コアネットワーク２００を介して受信した場合に、通信端末４００とＨｅＮＢ１１０との通信接続を解除させて、通信端末４００とコアネットワーク２００との通信接続を確立させる。通信接続制御部３０８は、例えば、ＨｅＮＢ２１０のセルＩＤを含むハンドオーバ指示を通信端末４００に送信することによって、通信端末４００とＨｅＮＢ１１０との通信接続を解除させて、通信端末４００とコアネットワーク２００との通信接続を確立させる。通信接続制御部３０８は、ＨｅＮＢ１１０とカバレッジエリアが重複する無線基地局として、ＨｅＮＢ２１０のセルＩＤを予め格納していてよい。
【００６３】
無線ベアラ設定要求信号格納部３１０は、通信接続制御部３０８が受信した無線ベアラ設定要求信号を格納する。無線ベアラ設定要求信号格納部３１０は、例えば、図２のＳ１３２においてＭＭＥ１５０から受信した無線ベアラ設定要求信号を格納する。
【００６４】
通信接続制御部３０８は、無線ベアラ設定要求信号格納部３１０に格納されている無線ベアラ設定要求信号を送信してよい。例えば、通信接続制御部３０８は、図３のＳ２１２において、無線ベアラ設定要求信号格納部３１０に格納されている無線ベアラ設定要求信号をＨｅＮＢ２１０に送信する。また、例えば、通信接続制御部３０８は、図４のＳ３１０において、無線ベアラ設定要求信号格納部３１０に格納されている無線ベアラ設定要求信号をＨｅＮＢ２１０に送信する。また、例えば、通信接続制御部３０８は、図５のＳ４２０において、無線ベアラ設定要求信号格納部３１０に格納されている無線ベアラ設定要求信号をＨｅＮＢ２１０に送信する。
【００６５】
図７は、ＨｅＮＢ１１０の機能構成の一例を概略的に示す。ＨｅＮＢ１１０は、通信中継部１１２、発呼先判定部１１４、ハンドオーバ制御部１１６、発呼先番号送信部１１８、及び識別データ受信部１２０を有する。なお、ＨｅＮＢ１１０がこれらのすべての構成を備えることは必須とは限らない。例えば、ＨｅＮＢ１１０は、通信中継部１１２、発呼先判定部１１４、ハンドオーバ制御部１１６、発呼先番号送信部１１８、及び識別データ受信部１２０のうち、通信中継部１１２、発呼先判定部１１４、及びハンドオーバ制御部１１６のみを有する。また、例えば、ＨｅＮＢ１１０は、通信中継部１１２、発呼先判定部１１４、ハンドオーバ制御部１１６、発呼先番号送信部１１８、及び識別データ受信部１２０のうち、通信中継部１１２、ハンドオーバ制御部１１６、発呼先番号送信部１１８、及び識別データ受信部１２０のみを有する。
【００６６】
通信中継部１１２は、ＨｅＮＢ−ＧＷ３００と通信端末４００との間の通信を中継する。通信中継部１１２は、例えば、ＨｅＮＢ−ＧＷ３００と通信端末４００との間で、無線ベアラ設定要求信号を中継する。また、通信中継部１１２は、例えば、ＨｅＮＢ−ＧＷ３００と通信端末４００との間で、無線ベアラ設定応答信号を中継する。また、通信中継部１１２は、例えば、ＨｅＮＢ−ＧＷ３００と通信端末４００との間で、アタッチ要求信号を中継する。
【００６７】
通信中継部１１２は、ＨｅＮＢ−ＧＷ３００と通信端末４００との間で、発呼信号を中継してもよい。通信中継部１１２は、例えば、ＨｅＮＢ１１０に通信接続されている通信端末４００から発呼信号を受信した場合、当該発呼信号を発呼先判定部１１４に送信する。発呼先判定部１１４は、通信中継部１１２から受信した発呼信号の発呼先がコアネットワーク１００に登録されている通信端末であるか、コアネットワーク２００に登録されている通信端末であるかを判定する。発呼先判定部１１４によって、発呼先がコアネットワーク１００に登録されている通信端末であると判定された場合、通信中継部１１２は、発呼信号をＨｅＮＢ−ＧＷ３００に送信してよい。
【００６８】
発呼先判定部１１４は、例えば、コアネットワーク１００に登録されている通信端末の電話番号を予め格納しておく。そして、発呼先判定部１１４は、発呼先の電話番号と、予め格納している電話番号とを比較して、発呼先の電話番号が格納されている場合に、発呼先がコアネットワーク１００に登録されている通信端末であると判定し、格納されていない場合に、発呼先がコアネットワーク２００に登録されている通信端末であると判定してよい。発呼先判定部１１４は、例えば、コアネットワーク１００に登録されている通信端末の電話番号を、ＨＳＳ１６０から取得する。また、例えば、コアネットワーク１００に登録されている通信端末以外の通信端末に発呼する場合にはいわゆる０発信をすることとなっている場合には、発呼先判定部１１４は、発呼信号が０発信であるか否かによって判定してもよい。
【００６９】
ハンドオーバ制御部１１６は、通信端末４００をハンドオーバさせる。ハンドオーバ制御部１１６は、通信中継部１１２が受信した発呼信号の発呼先がコアネットワーク２００に登録されている通信端末であると発呼先判定部１１４によって判定された場合に、通信端末４００をコアネットワーク２００にハンドオーバさせてよい。ハンドオーバ制御部１１６は、例えば、ＨｅＮＢ２１０のセルＩＤを含むハンドオーバ指示を通信端末４００に送信することによって、通信端末４００をコアネットワーク２００にハンドオーバさせる。ハンドオーバ制御部１１６は、ＨｅＮＢ２１０のセルＩＤを予め格納していてよい。例えば、ハンドオーバ制御部１１６は、ＨｅＮＢ２１０のセルＩＤが登録されている隣接セルリストを予め格納する。
【００７０】
また、通信中継部１１２は、例えば、ＨｅＮＢ１１０に通信接続されている通信端末４００から発呼信号を受信した場合、当該発呼信号を発呼先番号送信部１１８に送信する。発呼先番号送信部１１８は、通信中継部１１２から受信した発呼信号の発呼先の電話番号をＨＳＳ１６０に送信する。発呼先番号送信部１１８は、ＨｅＮＢ−ＧＷ３００及びＭＭＥ１５０を介して、発呼先の電話番号をＨＳＳ１６０に送信してよい。ＨＳＳ１６０は、受信した電話番号に基づいて、発呼先がコアネットワーク１００に登録されている通信端末であるかコアネットワーク２００に登録されている通信端末であるかを判定してよい。そして、ＨＳＳ１６０は、発呼先がコアネットワーク１００に登録されている通信端末であるか、コアネットワーク２００に登録されている通信端末であるかを識別する識別データをＨｅＮＢ１１０に送信する。ＨＳＳ１６０は、ＭＭＥ１５０及びＨｅＮＢ−ＧＷ３００を介して、識別データをＨｅＮＢ１１０に送信してよい。
【００７１】
識別データ受信部１２０は、ＨＳＳ１６０によって送信された識別データを受信する。識別データ受信部１２０が受信した識別データが、発呼先がコアネットワーク１００に登録されている通信端末であることを示す場合、通信中継部１１２は、発呼信号をＨｅＮＢ−ＧＷ３００に送信してよい。識別データ受信部１２０が受信した識別データが、発呼先がコアネットワーク２００に登録されている通信端末であることを示す場合、ハンドオーバ制御部１１６は、通信端末４００をコアネットワーク２００にハンドオーバさせてよい。
【００７２】
図８は、ＨＳＳ１６０の機能構成の一例を概略的に示す。ＨＳＳ１６０は、位置登録要求受信部１６２、位置登録部１６４、位置登録応答送信部１６６、発呼先番号受信部１６８、発呼先判定部１７０、及び識別データ送信部１７２を有する。
【００７３】
位置登録要求受信部１６２は、位置登録要求を受信する。位置登録要求受信部１６２は、例えば、通信端末４００を位置登録することを要求する位置登録要求をＭＭＥ１５０から受信する。
【００７４】
位置登録部１６４は、位置登録要求受信部１６２が受信した位置登録要求に基づいて、位置登録を実行する。位置登録部１６４は、例えば、通信端末４００を位置登録することを要求する位置登録要求を位置登録要求受信部１６２が受信した場合、通信端末４００を位置登録する。
【００７５】
位置登録応答送信部１６６は、位置登録応答を送信する。位置登録応答送信部１６６は、位置登録要求受信部１６２がＭＭＥ１５０から受信した位置登録要求に対する位置登録応答をＭＭＥ１５０に送信する。
【００７６】
発呼先番号受信部１６８は、発呼先番号送信部１１８によって送信された発呼先の電話番号を受信する。発呼先判定部１７０は、発呼先番号受信部１６８が受信した発呼先の電話番号に基づいて、発呼先がコアネットワーク１００に登録されている通信端末であるか、コアネットワーク２００に登録されている通信端末であるかを判定する。発呼先番号受信部１６８は、例えば、発呼先の電話番号が位置登録部１６４によって位置登録されていた場合、発呼先がコアネットワーク１００に登録されている通信端末であると判定し、位置登録されていなかった場合、発呼先がコアネットワーク２００に登録されている通信端末であると判定する。
【００７７】
識別データ送信部１７２は、発呼先判定部１７０によって判定された結果を示す識別データ、すなわち、発呼先がコアネットワーク１００に登録されている通信端末であるか、コアネットワーク２００に登録されている通信端末であるかを識別する識別データをＨｅＮＢ１１０に送信する。識別データ送信部１７２は、ＭＭＥ１５０及びＨｅＮＢ−ＧＷ３００を介して、識別データをＨｅＮＢ１１０に送信してよい。
【００７８】
識別データ送信部１７２は、識別データとして、発呼先がコアネットワーク１００に登録されている通信端末である場合と、コアネットワーク２００に登録されている通信端末である場合とで、異なるＳＰＩＤ（Ｓｕｂｓｃｒｉｂｅｒ  Ｐｒｏｆｉｌｅ  ＩＤ）をＨｅＮＢ１１０に送信してよい。例えば、識別データ送信部１７２は、発呼先がコアネットワーク１００に登録されている通信端末である場合には第１のＳＰＩＤをＨｅＮＢ１１０に送信し、発呼先がコアネットワーク２００に登録されている通信端末である場合には第２のＳＰＩＤをＨｅＮＢ１１０に送信する。ＨｅＮＢ１１０は、発呼先とＳＰＩＤとの対応付けを予め格納しておくことにより、識別データ送信部１７２によって送信されたＳＰＩＤから、発呼先を判定してよい。
【００７９】
図９は、ＨｅＮＢ−ＧＷ３００として機能するコンピュータ９００のハードウェア構成の一例を示す。本実施形態に係るコンピュータ９００は、ホストコントローラ１０８２により相互に接続されるＣＰＵ１０００、ＲＡＭ１０２０、及びグラフィックコントローラ１０７５を有するＣＰＵ周辺部と、入出力コントローラ１０８４によりホストコントローラ１０８２に接続される通信Ｉ／Ｆ１０３０、ハードディスクドライブ１０４０、及びＤＶＤドライブ１０６０を有する入出力部と、入出力コントローラ１０８４に接続されるＲＯＭ１０１０、ＦＤドライブ１０５０、及び入出力チップ１０７０を有するレガシー入出力部とを備える。
【００８０】
ＣＰＵ１０００は、ＲＯＭ１０１０及びＲＡＭ１０２０に格納されたプログラムに基づいて動作し、各部の制御を行う。グラフィックコントローラ１０７５は、ＣＰＵ１０００等がＲＡＭ１０２０内に設けたフレーム・バッファ上に生成する画像データを取得し、ディスプレイ１０８０上に表示させる。これに代えて、グラフィックコントローラ１０７５は、ＣＰＵ２０００等が生成する画像データを格納するフレーム・バッファを、内部に含んでもよい。
【００８１】
通信Ｉ／Ｆ１０３０は、有線又は無線によりネットワークを介して他の装置と通信する。また、通信Ｉ／Ｆ１０３０は、通信を行うハードウェアとして機能する。ハードディスクドライブ１０４０は、ＣＰＵ１０００が使用するプログラム及びデータを格納する。ＤＶＤドライブ１０６０は、ＤＶＤ−ＲＯＭ１０９５からプログラム又はデータを読み取り、ＲＡＭ１０２０を介してハードディスクドライブ１０４０に提供する。
【００８２】
ＲＯＭ１０１０は、コンピュータ９００が起動時に実行するブート・プログラム、及びコンピュータ９００のハードウェアに依存するプログラム等を格納する。ＦＤドライブ１０５０は、フレキシブルディスク１０９０からプログラム又はデータを読み取り、ＲＡＭ１０２０を介してハードディスクドライブ１０４０に提供する。入出力チップ１０７０は、ＦＤドライブ１０５０を入出力コントローラ１０８４へと接続するとともに、例えばパラレル・ポート、シリアル・ポート、キーボード・ポート、マウス・ポート等を介して各種の入出力装置を入出力コントローラ１０８４へと接続する。
【００８３】
ＲＡＭ１０２０を介してハードディスクドライブ１０４０に提供されるプログラムは、フレキシブルディスク１０９０、ＤＶＤ−ＲＯＭ１０９５、又はＩＣカード等の記録媒体に格納されて利用者によって提供される。プログラムは、記録媒体から読み出され、ＲＡＭ１０２０を介してハードディスクドライブ１０４０にインストールされ、ＣＰＵ１０００において実行される。
【００８４】
コンピュータ９００にインストールされ、コンピュータ９００をＨｅＮＢ−ＧＷ３００として機能させるプログラムは、ＣＰＵ１０００等に働きかけて、コンピュータ９００を、ＨｅＮＢ−ＧＷ３００の各部としてそれぞれ機能させてよい。これらのプログラムに記述された情報処理は、コンピュータ９００に読込まれることにより、ソフトウェアと上述した各種のハードウェア資源とが協働した具体的手段であるアタッチ要求信号受信部３０２，アタッチ要求信号送信部３０４、アタッチ要求信号送信部３０６、通信接続制御部３０８、及び無線ベアラ設定要求信号格納部３１０として機能する。そして、これらの具体的手段によって、本実施形態におけるコンピュータ９００の使用目的に応じた情報の演算又は加工を実現することにより、使用目的に応じた特有のＨｅＮＢ−ＧＷ３００が構築される。
【００８５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８６】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８７】
１０  通信システム、１００  コアネットワーク、１１０  ＨｅＮＢ、１１１  カバレッジエリア、１１２  通信中継部、１１４  発呼先判定部、１１６  ハンドオーバ制御部、１１８  発呼先番号送信部、１２０  識別データ受信部、１５０  ＭＭＥ、１６０  ＨＳＳ、１６２  位置登録要求受信部、１６４  位置登録部、１６６  位置登録応答送信部、１６８  発呼先番号受信部、１７０  発呼先判定部、１７２  識別データ送信部、２００  コアネットワーク、２１０  ＨｅＮＢ、２１１  カバレッジエリア、２５０  ＭＭＥ、２６０  ＨＳＳ、３００  ＨｅＮＢ−ＧＷ、３０２  アタッチ要求信号受信部、３０４  アタッチ要求信号送信部、３０６  アタッチ要求信号送信部、３０８  通信接続制御部、３１０  無線ベアラ設定要求信号格納部、４００  通信端末、９００  コンピュータ、１０００  ＣＰＵ、１０１０  ＲＯＭ、１０２０  ＲＡＭ、１０３０  通信Ｉ／Ｆ、１０４０  ハードディスクドライブ、１０５０  ＦＤドライブ、１０６０  ＤＶＤドライブ、１０７０  入出力チップ、１０７５  グラフィックコントローラ、１０８０  ディスプレイ、１０８２  ホストコントローラ、１０８４  入出力コントローラ、１０９０  フレキシブルディスク、１０９５  ＤＶＤ−ＲＯＭ
【図１】
2017130815.tif 000003
【図２】
2017130815.tif 000004
【図３】
2017130815.tif 000005
【図４】
2017130815.tif 000006
【図５】
2017130815.tif 000007
【図６】
2017130815.tif 000008
【図７】
2017130815.tif 000009
【図８】
2017130815.tif 000010
【図９】
2017130815.tif 000011